(57)【要約】【課題】ＥＥＦＬ管を有効に活用可能なＥＥＦＬ管用のインバーターモジュールを提供すること。【解決手段】極細径の外部電極管であるＥＥＦＬ管に適用可能なインバーターモジュールであって、入力電源を直流電源に変換するための整流回路（２）と、該整流回路（２）により直流に変換された電源をパルス波形に変換するための発振回路（３）と、該発振回路（３）により生成されたパルス波形を方形波形に補正するための方形波補正回路（４）と、該方形波補正回路（４）の出力を昇圧するための昇圧回路（５）と、該昇圧回路（５）の出力をＥＥＦＬ管の外部電極に接続するための出力端子（６）と、を具備したことを特徴としており、この構成によって、入力された交流電源を高圧かつ高周波の直流に変換してＥＥＦＬ管に供給し、これによりＥＥＦＬ管を高輝度で発光させることを可能としている。【選択図】図１
2007207588.tif 000002
【特許請求の範囲】
【請求項１】
極細径の外部電極管であるＥＥＦＬ管に適用可能なインバーターモジュールであって、
入力電源を直流電源に変換するための整流回路（２）と、
該整流回路（２）により直流に変換された電源をパルス波形に変換するための発振回路（３）と、
該発振回路（３）により生成されたパルス波形を方形波形に補正するための方形波補正回路（４）と、
該方形波補正回路（４）の出力を昇圧するための昇圧回路（５）と、
該昇圧回路（５）の出力をＥＥＦＬ管の外部電極に接続するための出力端子（６）と、を具備したことを特徴とする外部電極管用インバーターモジュール。
【発明の詳細な説明】
【技術分野】
【０００１】
本発明は、極細径とした外部電極管であるＥＥＦＬ管に適用可能なインバーターモジュールに関する。
【背景技術】
【０００２】
従来から、街頭の看板やショーケース等では、蛍光灯を用いて、この蛍光灯の光によってショーケース内の文字や品物等を照らしてこれらを浮き上がらせることが行われている。
【０００３】
しかし、一般的に、蛍光灯は、その内部に電極部を備えているために寿命が短く、長期間に亘って使用することができず、そのために定期的な交換が必要である。
【０００４】
また、近年、液晶画面のバックライト用として実用化されているＣＣＦＬ管（冷陰極管）が提供されているが、このＣＣＦＬ管もまた、電極を内部に備えているために寿命が短いという問題点が指摘されている。
【０００５】
ところで、最近になり、外部電極を備えた極細径の発光手段であるＥＥＦＬ管が提供されており、このＥＥＦＬ管は、外部に電極を備えているために寿命が長いという利点があり、またそれとともに、供給する電源の電圧と周波数を高めることにより高輝度を実現することが可能である。
【発明の開示】
【発明が解決しようとする課題】
【０００６】
しかしながら、このＥＥＦＬ管は、前述のように、その効果を高めるためには高圧、高周波の電源を供給する必要があるが、極めて最近になり提供され初めたものであるために、入力電源を高圧及び高周波にインバーター制御するための専用のモジュールは提供されておらず、そのため、これがＥＥＦＬ管の活用を遅らせる原因となっている。
【０００７】
そこで、本発明は、ＥＥＦＬ管を有効に活用可能なＥＥＦＬ管用のインバーターモジュールを提供することを課題としている。
【課題を解決するための手段】
【０００８】
本発明の外部電極管用インバーターモジュールは、極細径の外部電極管であるＥＥＦＬ管に適用可能なインバーターモジュールであって、入力電源を直流電源に変換するための整流回路と、該整流回路により直流に変換された電源をパルス波形に変換するための発振回路と、該発振回路により生成されたパルス波形を方形波形に補正するための方形波補正回路と、該方形波補正回路の出力を昇圧するための昇圧回路と、該昇圧回路の出力をＥＥＦＬ管の外部電極に接続するための出力端子と、を具備したことを特徴としている。
【発明の効果】
【０００９】
本発明の外部電極管用インバーターモジュールを用いることにより、例えば、入力された交流１００Ｖを直流に変換し、この直流を高圧及び高周波に変換して出力することができるため、この出力をＥＥＦＬ管の外部電極に接続することで、ＥＥＦＬ管を高輝度に発光させることが可能である。
【００１０】
従って、本発明により、効果が高いにもかかわらず従来は有効に活用されていなかったＥＥＦＬ管の有効活用を図ることが可能である。
【発明を実施するための最良の形態】
【００１１】
本発明の外部電極管用インバーターモジュールでは、入力電源を直流電源に変換するための整流回路を備えており、この整流回路には、整流回路により直流に変換された電源をパルス波形に変換するための発振回路が接続されている。
【００１２】
また、この発振回路には、発振回路で生成されたパルス波形を方形波形に補正するための方形波補正回路が接続され、この方形波補正回路には、方形波に補正された波形の電圧を高圧にするための昇圧回路としてのトランスが接続されている。
【００１３】
そして、このトランスには、トランスで高圧にされた電源をＥＥＦＬ管の外部電極に供給するための出力端子が接続されている。
【実施例１】
【００１４】
本発明の外部電極管用インバーターモジュール（以下単に「インバーターモジュール」と言う。）の実施例について図面を参照して説明すると、図１は本実施例のインバーターモジュールの構成を示すブロック図であり、図において１が本実施例のインバーターモジュールである。また、図において１０１は基板である。
【００１５】
そして、本実施例のインバーターモジュール１では、入力された交流電源を直流電源に変換するための整流回路２を備えており、本実施例においては、この整流回路２としてはブリッジダイオードを用いており、このブリッジダイオード２によって、入力された商用１００Ｖを直流１４１Ｖに変換可能にしている。
【００１６】
次に、このブリッジダイオード２には、ブリッジダイオード２で変換された直流を用いてパルス波形を生成するための発振回路３が接続されており、この発振回路３により、高周波のパルス波形を生成している。
【００１７】
そして、この発振回路３には方形波補正回路４が接続されており、この方形波補正回路４により、前記発振回路３の出力であるパルス波形を方形波波形に補正している。
【００１８】
なお、ＥＥＦＬ管のドライブ周波数は広範囲であるが、本実施例における前記発振回路３では、ＥＥＦＬ管の輝度を上げるために、６５ＫＨｚ〜８０ＫＨｚの周波数に変換可能としている。
【００１９】
次に、前記方形波補正回路４には昇圧回路としてのトランス５が接続されており、本実施例においては、このトランス５により、前記直流１４１Ｖを１，４１０Ｖ以上に昇圧している。
【００２０】
そのために、本実施例のインバーターモジュール１では、前記発振回路３及びトランス５により、入力電源である商用１００Ｖを直流１，４１０Ｖ以上にすることができ、これにより、この１，４１０Ｖを出力端子である電極コネクタ６を介してＥＥＦＬ管の外部電極に接続することで、ＥＥＦＬ管を有効に高輝度で発光させることができる。
【００２１】
このように、本実施例のインバーターモジュールを用いることにより、高圧かつ高周波の電源を供給しなければ機能を十分に発揮できず、そのために従来は有効に活用されていなかったＥＥＦＬ管を有効に機能させることが可能となる。
【産業上の利用可能性】
【００２２】
本発明では、外部電極管であるＥＥＦＬ管に高圧かつ高周波の電源を供給し、これによりＥＥＦＬ管を高輝度で発光可能にしているため、ＥＥＦＬ管に電源を供給するためのモジュールの全般に適用可能である。
【図面の簡単な説明】
【００２３】
【図１】本発明のインバーターモジュールの実施例の構成を示すブロック図である。
【符号の説明】
【００２４】
１    外部電極管用インバーターモジュール
１０１    基板
２    ブリッジダイオード
３    発振回路
４    方形波補正回路
５    トランス
６    出力端子（電極コネクタ）
【図１】
2007207588.tif 000003